(57)【要約】【課題】結露、雨漏り、屋根からの融雪等で生じる水による火災報知器の誤作動を防止し、又このような水で火災報知器が故障しその取り替えの必要をなくす。【解決手段】火災感知器３を装着して天井２の下面に取り付ける火災感知器浸水防止プレート１において、火災報知器３を取り付けるための上方に窪んだ浅い凹所８を設け、この浅い凹所８に取り付けられた火災感知器３を取り囲むように溝１３を設け、さらにこの溝１３の外側に浸水防止壁１４を下方に向けて突設し、浸水防止壁１４の外側に天井取付用の孔１５を設ける。【選択図】    図１
2004326261.tif 000002
【特許請求の範囲】
【請求項１】
火災感知器を装入する火災感知器受け部を設け、該火災感知器を装着して天井の下面に取り付ける火災感知器浸水防止プレートであって、
上記火災感知器受け部は、上方に窪んだ凹所を形成し、
該火災感知器受け部の凹所を取り囲むように浸水防止壁を下方に向けて突設し、
該浸水防止壁の外側に天井取付用の孔を設けて成ることを特徴とする火災感知器浸水防止プレート。
【請求項２】
上記凹所は、火災感知器浸水防止プレートの厚み分だけ上方に窪んで形成されており、上記火災報知器の取付位置を火災感知器浸水防止プレートの下面より上方としたことを特徴とする請求項１に記載の火災感知器浸水防止プレート。
【請求項３】
上方に突き出た凸状壁と、該凸状壁の下端周囲に形成された火災感知器受け部と、該火災感知器受け部の外側に形成されたフランジ部とから一体に形成されており、火災感知器を装着して天井の下面に取り付ける火災感知器浸水防止プレートであって、
上記火災感知器受け部は、上方に窪んだ凹所を形成し、
上記凹所に装入されて取付けられた火災感知器を取り囲むように浸水防止壁を下方に向けて突設し、該浸水防止壁の外側に天井取付用の孔を設け、
上記凸状壁の頂壁には、電線挿通用の孔を有する円筒部が形成されており、該電線挿通用の孔の内面には段部が形成されて成ることを特徴とする火災感知器浸水防止プレート。
【請求項４】
上記電線は、上記頂壁の上面から上記円筒壁の外面に沿って配線されてから上記電線挿通用の孔から上記凸状壁内に引き込まれて上記火災感知器に接続されるように取り付け可能である構成を特徴とする請求項３に記載の火災感知器浸水防止プレート。
【請求項５】
上記浸水防止壁の内側に火災感知器を取り囲むように溝を設けたことを特徴とする請求項１〜４のいずれかに記載の火災感知器浸水防止プレート。
【発明の詳細な説明】
【０００１】
【発明の属する技術分野】
本発明は、火災報知器のスポット型火災感知器を天井等に取り付けるための火災感知器浸水防止プレートに関し、特に、屋根裏における結露、雨漏り、屋根からの融雪で生じる水による火災報知器の誤作動を防止し、又このような水で火災報知器が故障しその取り替えの必要をなくすことを可能とする火災感知器浸水防止プレートに関する。
【０００２】
【従来の技術】
従来、火災感知器としては、例えば次のような種類がある。
（１）バイメタルスイッチ利用タイプ
火災時の温度上昇により閉動作するバイメタルスイッチを利用したタイプのもの。
（２）ダイアフラムスイッチ利用タイプ
火災時の急激な温度上昇時に閉動作するダイアフラムスイッチを利用したタイプのもの。
【０００３】
そして、バイメタルスイッチ利用タイプの火災感知器としては、次のような種類がある。
▲１▼バイメタルスイッチのみを備えたもの。
▲２▼バイメタルスイッチとプリント基板を備えたもの。
このプリント基板は、例えば、バイメタルスイッチが閉動作した場合に、ＬＥＤ等の表示灯を点灯制御したり、火災報知器制御装置に動作信号を送信したりする制御機能を有するもので、近年の火災感知器では通常使用されている。
【０００４】
ところで、従来、火災検知器はその火災感知器を天井に形成された開口部に対応した位置にベースを介して装着することが知られているいる（特許文献１、２参照。）
【０００５】
【特許文献１】
特開平７−１６２９０号公報
【特許文献２】
特開２００１−２１６５７８号公報
【０００６】
【発明が解決しようとする課題】
従来の火災検知器の構成によると、屋根裏において結露、雨漏り、融雪等に起因して水が生じると、このような水が、例えば次のようなルートで火災感知器内部に浸水するという問題が起きている。
▲１▼屋根裏に配線されている電源コードを伝わって、火災感知器の電線引き込み口から浸水する。
▲２▼火災感知器を取り付ける天井の開口部から浸水する。
▲３▼火災感知器を天井に取り付けるベース及び天井に取り付けるネジ部から浸水する。
【０００７】
このようにして火災感知器内部に水が浸水すると、次のような問題が生じる。
▲１▼火災感知器の感知スイッチ（バイメタルスイッチ等）、連結端子、プリント基板等の感知器を構成する部品において、ショートが発生し、誤報等の誤動作が生じ易くなる。
▲２▼バイメタルスイッチ等では水の浸水で誤動作が生じてもその後乾燥すると正常動作が可能となるが、プリント基板等は一端水が浸水すると損傷してしまい、火災感知器を取り替える必要が生じる。事業所等で多数の火災感知器を利用している場合は、その取替に多大の費用及び労力を費やすこととなる。
【０００８】
よって、本発明の第１の課題は、従来の火災感知器の天井取付用ベースの上記問題点を解決することであり、浸水しにくい構造の火災感知器を天井に取り付けるための火災感知器浸水防止プレートを実現することである。
【０００９】
なお、降雪地域では、例えばスレート屋根の上に積もった雪がじっくり融けるような場合には、融雪により生じた水が上段のスレートと下段のスレートの隙間から毛細管現象等の理由により屋根裏内に入り込み、天井に滴下して、上述のルートで火災感知器内部に水が浸水するケースが頻発しており、上記課題の緊急な解決が必要となっている。
【００１０】
ところで、火災感知器の天井に取り付けるための火災感知器浸水防止プレートとしては、さらに次のような問題を解決しなくてはならない。
▲１▼火災感知器浸水防止プレートを天井に取り付けると、この浸水防止プレートの厚みだけ火災感知器の取付位置が低くなってしまい、天井の清掃作業等で清掃具が火災感知器に触れたり衝接したりして誤動作を招来する可能性がある。又、浸水防止プレートの厚さがあまり厚いと火災感知器取り付けた場合に見栄えが悪くなる。
▲２▼製品により火災感知器の大きさがいろいろあり、いろいろな大きさのベースが必要となる。
【００１１】
よって、本発明の第２の課題は、火災感知器を天井に対してなるべく高い位置に取り付けることができ、しかも構造、製造が簡単でいろいろな大きさの火災感知器に対していろいろなサイズが提供可能な構造、製造が簡単な火災感知器を実現するものである。
【００１２】
【課題を解決するための手段】
本発明は上記課題を解決するために、火災感知器を装入する火災感知器受け部を設け、該火災感知器を装着して天井の下面に取り付ける火災感知器浸水防止プレートであって、上記火災感知器受け部は、上方に窪んだ凹所を形成し、該火災感知器受け部の凹所を取り囲むように浸水防止壁を下方に向けて突設し、該浸水防止壁の外側に天井取付用の孔を設けて成ることを特徴とする火災感知器浸水防止プレートを提供する。
【００１３】
上記凹所は、火災感知器浸水防止プレートの厚み分だけ上方に窪んで形成されており、上記火災報知器の取付位置を火災感知器浸水防止プレートの下面より上方とすることが好ましい。
【００１４】
本発明は上記課題を解決するために、上方に突き出た凸状壁と、該凸状壁の下端周囲に形成された火災感知器受け部と、該火災感知器受け部の外側に形成されたフランジ部とから一体に形成されており、火災感知器を装着して天井の下面に取り付ける火災感知器浸水防止プレートであって、上記火災感知器受け部は、上方に窪んだ凹所を形成し、上記凹所に装入されて取付けられた火災感知器を取り囲むように浸水防止壁を下方に向けて突設し、該浸水防止壁の外側に天井取付用の孔を設け、上記凸状壁の頂壁には、電線挿通用の孔を有する円筒部が形成されており、該電線挿通用の孔の内面には段部が形成されて成ることを特徴とする火災感知器浸水防止プレートを提供する。
【００１５】
上記電線は、上記頂壁の上面から上記円筒壁の外面に沿って配線されてから上記電線挿通用の孔から上記凸状壁内に引き込まれて上記火災感知器に接続されるように取り付け可能である構成を特徴とする。
【００１６】
上記浸水防止壁の内側に火災感知器を取り囲むように溝を設けることが好ましい。
【００１７】
【発明の実施の形態】
本発明に係る火災感知器浸水防止プレートの実施の形態を実施例に基づいて図面を参照して説明する。
【００１８】
図１は、本発明に係る火災感知器浸水防止プレートの構成の概要を説明する図であり、図１（ａ）は天井に対する火災感知器浸水防止プレートの取付配置を示し、図１（ｂ）は火災感知器浸水防止プレートに火災感知器を取り付けた状態を示す図である。
【００１９】
天井２に、本発明に係る火災感知器浸水防止プレート１を介して、火災感知器３が取り付けられる。このように火災感知器３を取り付けるために、天井（正確には天井ボード）２に開口４が形成されている。
【００２０】
火災感知器３は、この天井２の開口４の位置に対応し、火災感知器浸水防止プレート１を介して取り付けられている。火災感知器浸水防止プレート１は、全体的にはほぼ皿状のプレートであり、外観形状が上方に出っ張った凸状壁部５が形成されているとともに、凸状壁部５の周囲の火災感知器受け部２４と、さらにその外側のフランジ部６とから成る。この凸状壁部５は、その内側に、上方にへっこんで空間を形成する深い凹所７を有している。
【００２１】
この深い凹所７は、浸水防止プレート１の下側に開口する火災感知器受け部２４の浅い凹所８と連続し段状の凹所９を形成している。浅い凹所８と深い凹所７の連成部内面には段面１０（浅い凹所８の頂面に相当する。）が形成されている。この段面１０とフランジ部６の上面１１とは高さが同じ位置にある。
【００２２】
要するに、この発明に係る火災感知器浸水防止プレート１は、火災感知器受け部２４に浅い凹所８を設け、火災感知器浸水防止プレート１にへの火災感知器３の上端の取付位置１２を火災感知器浸水防止プレート１のフランジ部６の厚さｔの分だけ上方に後退させることにより、火災感知器３を、より高い位置に取付け、なるべく下方へ突き出ないようにしている。
【００２３】
フランジ部６の下面には、火災感知器受け部２４の浅い凹所８を取り囲むように、平面形状が正方形である溝１３が形成されており、さらに、この溝１３の外側を取り囲むように平面形状が正方形である浸水防止壁（水返し用の鍔）１４が下方に向けて垂直に突設されている。
【００２４】
さらに浸水防止壁１４の外側には、ネジ挿通孔１５が形成されている。凸状壁部５の頂壁１６上には、図示しない電源用や信号送信用の電線を引き込むための円筒部１７が一体に形成されており、この円筒部１７から凸状壁部５の頂壁１６を貫通して凹所７内に抜ける電線挿通用の電線挿通用の孔１８が形成されている。
【００２５】
なお、実施例で詳述するが、円筒部１７の電線挿通用の孔１８は小径部１９と大径部２０とから成りこれにより段部２１が形成され、この段部２１によりシール用の充填材を十分保持可能な構成となっている。
【００２６】
火災感知器浸水防止プレート１の浅い凹所８内に火災感知器３の上部を嵌合し、火災感知器３のケース内から上方に向けて伸びるネジ等で、火災感知器浸水防止プレート１に固定するように構成されている。
【００２７】
天井２の開口４を通して火災感知器浸水防止プレート１の凸状壁部５が上方に向けて装入され、フランジ部６の上面１１が天井２の下面２２に当接するように配置される。そして、フランジ部６のネジ挿通孔１５及び天井２のネジ挿通孔２３を通してネジ（他の固定具でもよい。）が挿通され、火災感知器浸水防止プレート１は、天井２に固定される。
【００２８】
（作用）
上記構造の火災感知器浸水防止プレート１により火災感知器３を天井２に取り付けた構造によると、次のような作用が生じる。結露、雨漏り、融雪に起因して屋根裏内に生じた水が火災感知器浸水防止プレート１に付着すると、この水は、図１（ｂ）の一連の矢印で示すように流れる。
【００２９】
即ち、火災感知器浸水防止プレート１の外表面に沿って水が流れ、天井２とフランジ部６の隙間からネジ挿通孔１５（正確にはネジ挿通孔１５とネジの隙間）を通りフランジ部６の下面に達する。そして、水は、フランジ部６の下面から浸水防止壁１４の外面に沿って流下し下方に滴下する。さらに、浸水防止壁１４の内側に溝１３を設けたので、水は火災感知器３に浸水しにくくなる。
【００３０】
従って、浸水防止壁１４の内側に位置する火災感知器３には、水が付着しその内部に流入するすることがないので、火災感知器３内に水が浸水し漏電等により生じるスイッチの誤動作を防止するとともに、プリント基板等の部品の損傷を防止することができる。
【００３１】
そして、この火災感知器浸水防止プレート１は、火災感知器３を嵌合する火災感知器受け部２４の浅い凹所８の段面１０（浅い凹所８の頂面に相当する。）とフランジ部６の上面１１との高さは同じ位置にあるから、その分（フランジ部６の下面から浅い凹所８のへっこんだ部分の高さ分）だけ、フランジ部６の下面に火災感知器３を当接して取り付けた場合に較べて、火災感知器３をより上方に取り付けることができ、室や廊下等において、下方に突出する部分がなくなる。これにより、人為的に火災感知器３に触れたり打撃したりして誤作動を発生させるようなことが防止できる。
【００３２】
（実施例）
本発明に係る火災感知器浸水防止プレートの実施例を図２〜５を参照して説明する。図２（ａ）は火災感知器浸水防止プレートの平面図であり、図２（ｂ）は図２（ａ）のＡ−Ａ断面図である。図３は底面図である。図４は、図２をさらに詳細に説明する図であり、特に電線の取付構造を説明する図である。
【００３３】
この実施例の火災感知器浸水防止プレート３１は、合成樹脂で形成されている。図２（ａ）、図３に示すように、火災感知器浸水防止プレート３１は、全体的には平面が正方形の皿状のプレートであり、図２（ｂ）に示すように、その外観形状が上方に出っ張った凸状壁部３２と、凸状壁部３２の下端外側に連成する火災感知器受け部３３と、火災感知器受け部３３の外側に連成するフランジ部３４から一体に形成されている。
【００３４】
凸状壁部３２は、平面が正方形をしており、その内側には上方にへっこんで空間を形成する深い凹所３５を有している。凸状壁部３２の頂壁３６のほぼ中央部の上には、図２、４に示すように、円筒部３７が突設されている。この円筒部３７には、凸状壁部３２の頂壁３６を貫通し深い凹所３５内に抜けるように、電源用や信号送信用の電線３８を挿通する電線挿通用の孔３９が形成されている。
【００３５】
図４（ｂ）に示すように、円筒部３７の電線挿通用の孔３９は、大径部４０とその下方の小径部４１とから成り、これにより段部４２が形成されている。電線挿通用の孔３９に電線３８を挿通し、電線挿通用の孔３９と電線３８との隙間を密封（シール）するためにシール用の充填材４３を充填するが、円筒部３７の段部４２により充填材４３が電線挿通用の孔３９と電線３８との隙間に充填されしっかりと保持できるような構成とした。
【００３６】
凸状壁部３２は、平面が正方形をしており、その内側には上方にへっこんで空間を形成する深い凹所３５を有している。火災感知器受け部３３は、図３に示すように、火災感知器浸水防止プレート３１の下面側に開口する円形の浅い凹所４４を有し、この浅い凹所４４とその上方の深い凹所３５が連続して段状の凹所４５となっている。浅い凹所４４と深い凹所３５の連成部内面には段面４６が形成されている。
【００３７】
この段面４６（浅い凹所４４の頂面に相当する。）とフランジ部３４の上面４７とは高さが同じ位置（面一の関係）にある。要するに、火災感知器浸水防止プレート３１における火災感知器２の取付位置をフランジ部３４の厚さｔの分だけ上方に後退させることにより、火災感知器２をなるべく高い位置に取り付けることができるようにした。
【００３８】
凸状壁部３２の４つの側壁４８の内面に膨出部４９が形成されており、この膨出部４９に下方からネジ孔５０が形成されている。このネジ孔５０に対向して強度上の観点から上方から孔５１が形成されている。
【００３９】
フランジ部３４は全体的に平面正方形をしており、図３に示すように、フランジ部３４の下面には、火災感知器受け部３３の浅い凹所４４の外側を取り囲むように平面形状が正方形である溝５２が形成されており、さらに、この溝５２の外側に溝５２を取り囲むように平面形状が正方形である浸水防止壁５３が下方に向けて垂直に突設されている。さらに、この浸水防止壁５３の外方において、フランジ部３４の四辺には夫々ネジ挿通孔５４が形成されている。
【００４０】
火災感知器浸水防止プレート３１の浅い凹所４４内に、火災感知器３の上部を嵌合し、火災感知器３の上部を段面４６に当接する。そして、火災感知器３を取り付けるネジを火災感知器３に係合し、上方に向けネジ孔５０に螺入して、火災感知器３を火災感知器浸水防止プレート３１に固定する。
【００４１】
このように火災感知器３を装着した火災感知器浸水防止プレート３１を天井の取り付け用開口４に装入して、ネジ挿通孔５４にネジを下方から挿入して天井２に取り付けることができる。
【００４２】
火災感知器２に接続される電線３８は、図４（ａ）、（ｂ）に示すように、凸状壁部３２の頂壁３６の上面から円筒部３７の外面に沿って配設され、さらに円筒部３７の電線挿通用の孔３９から深い凹所３５内に挿通される。凸状壁部３２の頂壁３６の上面に配設された電線３８は、結束バンド５５を介して保持具５６に保持される。
【００４３】
保持具５６は、図４（ｃ）に示すように、接着剤５７が下面に付与された粘着テープ５８の上面に係合部５９が固定されて成る。この保持具５６を、粘着テープ５８で凸状壁部３２の頂壁３６の上面に貼着し、電線３８を結束した結束バンド５５を係合部５９に挿通して電線３８を凸状壁部３２の頂壁３６の上面に横方向（水平方向）の姿勢で保持する。
【００４４】
さらに、ゴムキャップ６０を上方から、電線３８とともに円筒部３７を被せるようにして装着する。このような構造により、電線３８を凸状壁部３２の頂壁３６の上面に取り付けるとともに、ゴムキャップ６０を被せることにより円筒部３７内に水が入り込むことを防止することができる。
【００４５】
（作用）
この実施例の火災感知器浸水防止プレート３１は、以上のような構成であるから、結露水、雨漏り、融雪水に起因して天井の内部に生じた水は、火災感知器浸水防止プレート３１の外面に沿って水が流れ、ネジ孔５４を通りフランジ部３４の下面に達する。さらにこの水は、フランジ部３４の下面から浸水防止壁５３の外面に沿って流下し下方に滴下する。さらに、浸水防止壁５３の内側に溝５２を設けたので、水は火災感知器２に浸水しない。
【００４６】
又、電線３８を伝わってくる水は、図４（ａ）、（ｂ）に示すように、電線３８が凸状壁部３２の頂壁３６の上面に横方向（水平方向）の姿勢で取り付けられており、さらに円筒部３７の外面に沿って上方に配線され、ゴムキャップ６０で円筒部３７ともに被され、円筒部３７内部ではシール用の充填剤４３でシールされているから、円筒部３７からの水の侵入は防止できる。
【００４７】
従って、浸水防止壁５３の内側に位置する火災感知器２には、浸水することがないので、火災感知器２内に水が浸水することによる漏電に起因する誤動作やスイッチ部やプリント基板等の部品の損傷を防止することができる。
【００４８】
さらに、火災感知器浸水防止プレート３１では火災感知器受け部３３に浅い凹所４４が形成され、これにより、火災感知器浸水防止プレート３１における火災感知器２の取付位置をフランジ部３４の厚さ（浸水防止プレートの厚さ）分だけ上方に後退させることにより、火災感知器の下方への突き出た部分を少なくする。この結果、人為的に火災感知器に触れたり打撃したりして誤作動を発生させるようなことが防止できる。
【００４９】
以上、本発明に係る火災感知器浸水防止プレートの実施の形態を実施例に基づいて説明したが、本発明はこのような実施例に限定されるものではなく、特許請求の範囲に記載された技術的事項の範囲内でいろいろな実施例があることは言うまでもない。
【００５０】
【発明の効果】
以上の構成から成る本発明に係る火災感知器浸水防止プレートによれば、次のような効果が生じる。
（１）火災感知器浸水防止プレートの火災感知器の周囲には溝を介して浸水防止壁を下方に向けて突設したので、結露、雨漏り、融雪等で生じる屋根裏から伝わってくる水が火災感知器に浸水することを防止することができるので、火災感知器の誤動作が防止でき、損傷による取替等の作業が不要となる。
【００５１】
（２）火災感知器浸水防止プレートの厚み分だけ上方にへっこんだ浅い凹所を設け、この凹所内に火災感知器を装入して取り付けたので、火災感知器の上部の取付位置は天井下面の位置となるから、浸水防止プレートの厚みによる取付位置が下がるという影響はなくなる。従って、人が火災感知器に誤って触れたり衝接したりして生じる人為的な誤動作を少なくでき、さらに火災感知器取り付けの見栄えが悪くするようなことがなくなる。
【００５２】
（３）この火災感知器浸水防止プレートは、構造が簡単であるので、その製造も比較的容易であり、いろいろな寸法のある火災感知器に対応していろいろ取りそろえることも可能である。
【００５３】
（４）電線引き込み用の円筒部内に段部を設け、シール用の充填剤を十分し保持することができ、さらにゴムキャップで電線と円筒部をともに被せれば円筒部からの水の侵入を防止できる。さらに、電線を、火災感知器浸水防止プレートの頂部上面上に結束バンドを介して保持具で装着するから、電線が横方向（水平方向）の姿勢となり、さらに円筒壁の外面に沿って上方に伸びてから円筒部内に引き込まれるから、電線を伝わる水の円筒部からの侵入がより一層、防止できる。
【図面の簡単な説明】
【図１】本発明に係る火災感知器浸水防止プレートの構成の概要を説明する図であり、（ａ）は天井に対する火災感知器浸水防止プレートの取付配置を示し、（ｂ）は火災感知器浸水防止プレートに火災感知器を取り付けた状態を示す図である。
【図２】本発明に係る火災感知器浸水防止プレートの実施例を説明する図であり、（ａ）は平面図、（ｂ）は（ａ）のＡ−Ａ断面を示す図である。
【図３】本発明に係る火災感知器浸水防止プレートの実施例の底面を示す図である。
【図４】図４は、図２をさらに詳細に説明する図で、特に電線の取付構造を説明する図であり、（ａ）は全体を示し、（ｂ）は円筒部の密封構造を示し、（ｃ）は電線の取付構造を示す図である。
【符号の説明】
１  火災感知器浸水防止プレート
２  天井
３  火災感知器
４  天井の開口
５  凸状壁部
６  フランジ部
７  凸状壁部の形成する深い凹所
８  火災感知器受け部の形成する浅い凹所
９  段状の凹所
１０  段面
１１  フランジ部の上面
１２  火災感知器の上端の取付位置
１３  溝
１４  浸水防止壁（水返し用の鍔）
１５  ネジ挿通孔
１６  凸状壁部の頂壁
１７  円筒部
１８  電線挿通用の孔
１９  小径部
２０  大径部
２１  段部
２２  天井の下面
２３  天井のネジ挿通孔
２４  火災感知器受け部
３１  火災感知器浸水防止プレート
３２  凸状壁部
３３  火災感知器受け部
３４  フランジ部
３５  深い凹所
３６  凸状壁部の頂壁
３７  円筒部
３８  電線
３９  電線挿通用の孔
４０  電線挿通用の孔の大径部
４１  電線挿通用の孔の小径部
４２  電線挿通用の孔の段部
４３  シール用の充填材
４４  浅い凹所
４５  段状の凹所
４６  段面
４７  フランジ部の上面
４８  凸状壁部の側壁
４９  側壁の内面の膨出部
５０  ネジ孔
５１  孔
５２  溝
５３  浸水防止壁
５４  ネジ挿通孔
５５  結束バンド
５６  保持具
５７  接着剤
５８  粘着テープ
５９  粘着テープ上面の係合部
６０  ゴムキャップ
【図１】
2004326261.tif 000003
【図２】
2004326261.tif 000004
【図３】
2004326261.tif 000005
【図４】
2004326261.tif 000006